(57)【要約】【目的】紐切りカッターを用いる作業がより便利に、より能率的になる様に工夫した紐切りカッターを提供すること。【構成】紐を切る刃１と安全ガード２と柄３とを有する紐切りカッターにおいて柄３に鉛筆、ボールペンなどの筆記具を嵌め込む嵌め込み部５を形成する。【選択図】    図１
2006280897.tif 000002
【特許請求の範囲】
【請求項１】
紐を切る刃と安全ガードと柄とを有する紐切りカッターにおいて、柄に鉛筆、ボールペンなどの筆記具を嵌め込む嵌め込み部を形成した事を特徴とする紐切りカッター。
【請求項２】
紐を切る刃と安全ガードと柄とを有する紐切りカッターにおいて、紐切りカッターの所定部に先端部が鋭くはあるが小さな丸みを帯びた突出部材を備えた事を特徴とする紐切りカッター。
【請求項３】
突出部材を紐切りカッターの頭部に備えた請求項２記載の紐切りカッター。
【請求項４】
突出部材の先端部付近の側壁を鋭くはあるが小さな丸みを帯びた形状に形成した請求項２ないし４にいずれかに記載の紐切りカッター。
【発明の詳細な説明】
【発明の詳細な説明】
【産業上の利用分野】
【０００１】  本発明は紐を切る紐切りカッターに係わり、紐切りカッターを用いる作業がより便利に、より能率的になる様に工夫したものに関する。
【背景技術】
【０００２】  紐切りカッターとは紐（バンドも含む）を切る刃と、安全ガードと、柄より成るカッターのことであるが、この紐切りカッターを用いる作業は多種多様で、従来のままでは不便で、非能率的なことが多い。例えば雑誌や書籍の発送業務において、これらを結束した紐を切る場合は紐を指で持ち上げ、できた透き間に紐切りカッターの安全ガードを通して紐を切るのであるが、結束した紐が固く締め付けられていると指が通らず、従って紐の下に紐切りカッターの安全ガードを通せないから、紐を切る事が出来ない。無理に紐の下に指を通そうとすると、指の爪の肉を破る事がある。又、この発送業務は雑誌や書籍を伝票の指示通りに種類と冊数を揃えるのであるが、その際、チェックに印の為に鉛筆、ボールペンなどの筆記具が必要である。通常は紐切りカッタで紐を切ったら、これを作業机の上に置き、次に雑誌や書籍を伝票の指示通りに揃えたか、種類と冊数を筆記具でチェックの印をつけつつ作業し、終ったら筆記具を作業机の上に置き、以上を繰り返す。
この様な一連の作業では筆記具を作業机の上から転がり落ちて紛失し易く、紐切りカッターと筆記具の２つの置き場所が必要で、スペース取りに苦労する（２つを並べて置いておくと、発送業務は流れ作業であり、スピードを要求されるので、慌てて一方を手に取る時に他方を弾き飛ばす事がある）。
【発明の解決しようとする問題点】
【０００３】  本発明の目的は紐切りカッターを用いる作業がより便利に、より能率的になる様に工夫した紐切りカッターを提供するところにある。
【問題点を解決する為の手段】
【０００４】  本発明は上記目的を達成する為、紐を切る刃と、安全ガードと、柄とを有する紐切りカッターにおいて、第１の発明では柄に筆記具を嵌め込む嵌め込み部を形成し、第２の発明では紐切りカッターの所定部に先端部が鋭くはあるが小さな丸みを帯びた突出部材を備える構造としたのである。
【実施例】
【０００５】  図１（イ）は本発明による紐切りカッターの一実施例で、紐を切る刃１と、刃１に指などが触れない様にする安全ガード２と、柄３とから成り、鉛筆、ボールペンなどの筆記具を嵌め込む嵌め込み部５を形成してある。嵌め込み部５は柄３の表、裏に形成する事が望ましいが、一方のみでも良い。又、嵌め込み部５を細くしてボールペンの芯を嵌め込む様にしても良い。４，６は補強リブで、必要不可欠なものではない。尚、嵌め込み部５は紐切りカッターの頭部まで形成する事は困難な事であるから、頭部に近づくに従ってその深さを浅くしてある。嵌め込み部５に筆記具を嵌め込み、輪ゴムをぐるぐる巻きにして固定した図を図１（ロ）に示す（嵌め込み部５がないと、輪ゴム８で固定しても筆記具７がぐらつき易い―筆記具７が短いほど）。以上により紐切りカッターと筆記具７とは一体となるので、紐切りカッターが即筆記具となり、筆記具の置き場所に困る事もなく、作業机上から落ちて紛失する事もない。次に図２（イ）の本発明による紐切りカッターは、紐を切る刃１と、安全ガード２と、柄３とを有する紐切りカッターにおいて、紐切りカッターの所定部に（図では頭部に）先端部が鋭くはあるが小さな丸みを帯びた突出部材９を備えたものである（触れても怪我しない）。一般に雑誌や書籍は図３（イ）の如く紐で十文字に結束してあるから、紐の交叉部１２の下に突出部材９を通して持ち上げ、できた透き間に指を入れて紐を持ち上げ、紐切りカッターにより二点鎖線示の如く動かして切る様にする。従って紐が固く結束してあっても簡単に切れる様になり、作業の能率も向上する。突出部材９の他の使い方として、図３（ロ）の如く段ボール箱の蓋を閉じておくのに使う粘着テープ１３を切る場合の使用法がある。即ち、粘着テープ１３に突出部材９を差し込み、矢印の如く動かして粘着テープ１３を切り、蓋を開く様にするのである。この場合、紐切りカッターを傾斜させて矢印の如く動かすのが普通であるから、図２（イ）の如く突出部材９の先端部付近の側壁も鋭くはあるが小さな丸みを帯びた形状に形成しておく事が望ましい。尚、突出部材９は図２（ロ）の如く柄３の根本部に備えても良い。図２（イ）では図１の嵌め込み部５を形成する事も出来、ここに筆記具を嵌め込んで輪ゴムで固定した図を図２（ハ）に示す。図２（ニ）に示す紐切りカッターは柄３に筆記具を挿入する穴１０を形成したもので、穴１０の壁面の一部を切り欠いて切り欠き部１１を形成し、この部分を輪ゴムによりぐるぐる巻きにして筆記具を固定するものである。尚、図１，２において刃１で紐を切るには刃１を紐に押し付けながら切る必要があり、単純に紐切りカッターを引く様に動かしただけではうまく切れない。そこで図２（ホ）の如く刃１を柄３の方向と所定角度だけ交叉する如く備える事が望ましく、これにより紐切りカッターを引く様に動かしさえすれば紐は刃１に必ず当るから、よく切れる様になる。【０００６】  一般に紙を保持する紙バサミは図４（イ）の如く、上向きに細長く延びる高摩擦材料製（例えばゴム製）の支持部材１６，１８を各々複数有する部品１７，１９を互いに対向させて備え、かつ一方の部品１７の支持部材１６の先端部と他方の部品１９の支持部材１８の先端部��を僅かな間隔ｇだけ離して備えた構造であり（部品１７，１９は各々枠体１４，１５に固着されている）、差し込み口２０から紙を挿入する時は殆ど抵抗なく挿入できるが、引き出す時はかなり強い抵抗を示し、紙を保持するものである。この様な紙バサミにおいては極く薄い紙になると保持できなくなり、落下する。これは間隔ｇに起因するもので、間隔ｇを縮小すれば保持できる様になるが、今度は極く薄い紙は腰が弱い為に、挿入する事が出来なくなる。以上の欠点を解消するには図４（ロ）の如く部品１７，１９の支持部材１６，１８の内の一部の支持部材を長くすると良い（図では中段に位置する支持部材１６，１８を長くしてある―部品１７の中段に位置する支持部材１６のみを長くしても良い）。こうすると、中段に位置する支持部材１６，１８の各々の先端部間の間隔ｇ′は図４（イ）の間隔ｇよりも小さくなるから（中段に位置する支持部材１６，１８を互いに接触するまで長くしても良い）、極く薄い紙でも保持される事になる。長くしたのは一部の支持部材のみであるから、極く薄い紙でも挿入する事が出来る（全体を長くすると、挿入抵抗が大きくなって挿入できない）。尚、長くした支持部材は少し細く形成しても良い。【０００７】  一般にＣＤ，ＤＶＤ，ＦＤなどの光・磁気ディスク、又は磁気テープはケースに入れて棚に収納するが、図５（イ），（ロ）はこれを示したものである。図５（イ）は棚一杯に収納したもの、図５（ロ）は棚の途中まで収納したもので、ブックエンド２２で倒れを防いでいる。この様な場合、１つのケース２１を取り出すと、これがあった間隔は左右から押されて挟まり、再びケース２１を押し込もうとしても容易には押し込まれてはくれない。そこで指で押し開げながらケース２１を押し込むなど、不便な事が多かった。この様な欠点を解消するには図５（ハ），（ニ）の如く（後者は、前者においてケース蓋体２４を完全に閉じて上方から見た図である―図は代表的なＣＤ用ケースを示す）ケース本体２３とケース蓋体２４とから成るディスク又はテープ用ケースにおいて、ケース蓋体２４を完全に閉じた状態にしてケース正立状態（ケースを正しく立てた状態であり、ケース蓋体２４の回転軸Ａ−Ａ′が縦方向に向く）を考え、ケース外側面の主部２５（大きく広がった面）における縦方向に延びる端部を面取りする如く傾斜させて形成する様に構成するのが良い。２６はケース端面である。この場合、ケース外側面の主部２５における縦方向に延びる端部を面取りする如く傾斜させて形成するに当り、図５（ホ）の如く２つの端部を面取りする如く傾斜させて形成してもよいが、図５（ヘ）の如く４つの端部を全て面取りする如く傾斜させて形成する事が望ましい。又、ケース外側面の主部２５における縦方向に延びる端部を面取りする如く傾斜させて形成するに当り、ケース外側面の主部２５との為す面取り角αを３０°以下とする事が望ましい（ケースを容易に押し込める様にする為である）。以上の如くディスク又はテープ用ケースを形成しておくと、図５（ト）の如く棚に収納されたケースの間にケース２７を押し込む場合は、面取りする如く傾斜させて形成した部分２５′のくさび作用によりケース２７の両側のケースを押し拡げる様になるので、容��に押し込む事が出来る。図５（イ），（ロ）の従来のケースを収納している場合でも、図５（チ）の如くケース２７を同様の理由により容易に押し込む事が出来る。【０００８】  一般に紙片に書かれた文章を写し取ったり、活字化、清書するなどの場合は、１つ１つの行を目で追いながら写し取りや清書を行うが、目が疲れる上、行を飛ばしたり、前の行を重複して書いたりするなど苦労する事が多く、不便であった。この欠点を解消するには図６（イ）の如く固定重り２８につながって支持される案内レール３１を案内として平行移動する行指示体３４を備えた行指示具を使うのが良い。固定重り２８の断面を図６（ロ）に、Ｂ−Ｂ′線断面図を図６（ハ）に示す。行指示体３４は案内レール３１に嵌り込む案内部３２に一体的に形成しても良いが、回動軸３３を中心に回動可能な構造とすると、案内レール３１と平行に折り曲げる事ができるので、コンパクトとなり、収納に便利である（この時、固定重り２８に溝３０を形成しておき、行指示体３４を嵌め込む様にすると良い）。尚、行指示体３４は図６（ニ）の如く案内部３２に差し込み式としても良い。行指示体３４には重り３５があり、行指示体３４が紙面全体に接触する様にする事が望ましい。もちろん、行指示体３４には十分な柔軟性を持たせてある。尚、案内レール３１には両端部にある２つの固定重り２８につながる構造であるが、図６（ホ）の如く１つの固定重り３６につながる構造としても良い。次に使い方を説明すると、図６（ヘ）の如く紙片の端部に固定重り２８を置き、案内部３２を手で動かしつつ（適度な摩擦力がある）行指示体３４により行を追いながら写し取りや清書を行なうのである。この場合、固定重り２８の所定部（紙片などとの接触部）にゴム、エラストマーなどの高摩擦材料を備えておくと、しっかりと固定される。文章が縦書きの場合は固定重り２８を図６（ト）の如く置く。何枚もの紙片を中央部で綴じたものでは、図６（リ）の如く中央部に真直ぐ延びる溝３７ができるから、この部分に図６（チ）の如く固定重り２８の角部２９を沈める様に置くと良い。図６（チ）においては読み易い様に何かに立て掛ける事があるから、この様な場合も固定重り２８に高摩擦材料を備えておくと、行指示具の倒れ（手前に滑って倒れる）を防ぐ事が出来る。尚、以上の行指示具は図６（リ）の如くペーパーウェイト（文鎮）としても使用できるものである。
図６（ヌ）の行指示具は案内部３８とこれから延びて来る行指示体３９から成るもので、両者は一体的に形成されている（重り４０は図６（イ）の重り３５と同様に必要不可欠なものではない）。これは図６（ル）の如く案内部３８を綴じバネ４１（穴付紙片を綴じるバネ）に被せて、案内部３８を指で動かしつつ行指示体３９を平行移動させて使う。図６（ヲ）の行指示具は案内部４２とこれから延びて来る行指示体３９とから成るもので、両者は一体的に形成されている。これは図６（ワ）の如く案内部４２を溝３７（図６（リ）参照）に沈める如く嵌め込んで、行指示体３９を平行移動させて使う。以上の行指示具によれば写し取りや清書などの際、行を間違える事がない。
【発明の効果】
【０００９】  本発明は以上の如く構成されているので、紐切りカッターの嵌め込み部５（図１）に筆記具７を嵌め込んで輪ゴム８により固定すると、筆記具７はしっかりと固定されて短いものでもぐらつくことがない（嵌め込み部５がないと、筆記具７がぐらつき易く、違和感がある−−特に筆記具７が短い場合）。かくして紐切りカッターと筆記具７とは図１（ロ）の如く一体となるので、筆記具の置き場所に困る事もなく、作業机から落ちて紛失する事もない（筆記具は転がり落ち易い）。作業能率も向上する。又、紐切りカッターに備えられた突出部材９（図２）により図３（イ）の如く固く結束された紐でも持ち上げる事が出来るので、簡単に紐が切れ、作業能率が向上する。かつ図３（ロ）の如く突出部材９により段ボールの蓋を閉じておくのに使われる粘着テープ１３を切れるので、便利である。この場合、鋭利なカッターの刃で切ると、段ボール箱の中の商品を傷つける事があるが、本発明ではこの様な事はない。
【図面の簡単な説明】
【図１】本発明による紐切りカッターの図。
【図２】本発明による紐切りカッターの図。
【図３】雑誌等を結束した図。段ボール箱の図である。
【図４】紙バサミの図である。
【図５】ディスク又はテープ用ケースの図。
【図６】行指示具の図である。
【符号の説明】
１は刃，２は安全ガード，３は柄，４・６は補強リブ，５は嵌め込み部，７は筆記具，８は輪ゴム，９は突出部材，１０は穴，１１は切欠き部，１２は紐の交叉部，１３は粘着テープ，１４・１５は枠体，１６・１８は支持部材、１７・１９は部品，２０は差し込み口，２１はケース，２２はブックエンド，２３はケース本体，２４はケース蓋体，２５はケース外側面の主部，２６はケース端面，２７はケース，２５′は面取りする如く傾斜させて形成した部分，２８・３６は固定重り，２９は角部，３０は溝，３１は案内レール，３２は案内部，３３は回動軸，３４は行指示体，３５は重り，３７は溝，３８・４２は案内部，３９は行指示体，４０は重り，４１は綴じバネである。
【図１】
2006280897.tif 000003
【図２】
2006280897.tif 000004
【図３】
2006280897.tif 000005
【図４】
2006280897.tif 000006
【図５】
2006280897.tif 000007
【図６】
2006280897.tif 000008